(57)【要約】【課題】投げ込み作業を円滑に行えると共に、より安全に行うことが可能なコンバインを提供する。【解決手段】コンバイン１は、リール２１と、刈刃２２と、ＰＦオーガ２３と、ＦＨコンベア２４と、電動モータ９１ａ・９２ａ・９３ａ・９４ａと、制御装置１００と、投げ込み作業操作具７９と、を備え、制御装置１００は、投げ込み作業操作具７９から信号を受信することによって、リール２１、及び刈刃２２をそれぞれ停止させた状態で、ＰＦオーガ２３、及びＦＨコンベア２４をそれぞれ正回転させる。【選択図】図５
2014183801.tif 000002
【特許請求の範囲】
【請求項１】
穀稈を掻き込むリールと、
前記リールを駆動させるリール用駆動装置と、
穀稈を刈り取る刈刃と、
前記刈刃を駆動させる刈刃用駆動装置と、
前記刈刃により刈り取った穀稈を取り込むプラットホームオーガと、
前記プラットホームオーガを駆動させるオーガ用駆動装置と、
前記プラットホームオーガにより取り込まれた穀稈を脱穀部へ搬送するフィーダハウスコンベアと、
前記フィーダハウスコンベアを駆動させるコンベア用駆動装置と、
前記リール用駆動装置、刈刃用駆動装置、オーガ用駆動装置、及びコンベア用駆動装置を操作して、前記リール、刈刃、プラットホームオーガ、及びフィーダハウスコンベアの動作を制御する制御装置と、
前記制御装置に接続される投げ込み作業操作具と、
を備え、
前記制御装置は、前記投げ込み作業操作具から信号を受信することによって、前記リール、及び刈刃をそれぞれ停止させた状態で、前記プラットホームオーガ、及びフィーダハウスコンベアをそれぞれ正回転させることを特徴とする、
コンバイン。
【請求項２】
前記投げ込み作業操作具は、機体側面、又は前記フィーダハウスコンベアを収容するフィーダハウスの側面に取り付けられることを特徴とする、
請求項１に記載のコンバイン。
【発明の詳細な説明】
【技術分野】
【０００１】
本発明は、コンバインに関する。
【背景技術】
【０００２】
従来、刈取部の各部（リール、刈刃、ＰＦオーガ、及びＦＨコンベア）にそれぞれ電動モータを接続して、前記各電動モータにより刈取部を駆動させるコンバインの技術は公知である（例えば、特許文献１）。
従来、投げ込み作業を行うときには、作業者は刈取部を駆動させた状態で、刈取部に作物を投げ入れていた。
投げ込み作業を行うときには、作業を円滑に行いたいとの要請がある。また、投げ込み作業をより安全に行いたいとの要請がある。
【先行技術文献】
【特許文献】
【０００３】
【特許文献１】特開２００９−１７１９１７号公報
【発明の概要】
【発明が解決しようとする課題】
【０００４】
本発明は、投げ込み作業を円滑に行えると共に、より安全に行うことが可能なコンバインを提供する。
【課題を解決するための手段】
【０００５】
請求項１に記載のコンバインは、
穀稈を掻き込むリールと、
前記リールを駆動させるリール用駆動装置と、
穀稈を刈り取る刈刃と、
前記刈刃を駆動させる刈刃用駆動装置と、
前記刈刃により刈り取った穀稈を取り込むプラットホームオーガと、
前記プラットホームオーガを駆動させるオーガ用駆動装置と、
前記プラットホームオーガにより取り込まれた穀稈を脱穀部へ搬送するフィーダハウスコンベアと、
前記フィーダハウスコンベアを駆動させるコンベア用駆動装置と、
前記リール用駆動装置、刈刃用駆動装置、オーガ用駆動装置、及びコンベア用駆動装置を操作して、前記リール、刈刃、プラットホームオーガ、及びフィーダハウスコンベアの動作を制御する制御装置と、
前記制御装置に接続される投げ込み作業操作具と、
を備え、
前記制御装置は、前記投げ込み作業操作具から信号を受信することによって、前記リール、及び刈刃をそれぞれ停止させた状態で、前記プラットホームオーガ、及びフィーダハウスコンベアをそれぞれ正回転させる。
【０００６】
請求項２に記載のコンバインにおいては、
前記投げ込み作業操作具は、機体側面、又は前記フィーダハウスコンベアを収容するフィーダハウスの側面に取り付けられる。
【発明の効果】
【０００７】
請求項１に記載のコンバインによれば、作業者が投げ込み作業操作具を操作すれば、投げ込み作業を開始できるので、投げ込み作業を円滑に行うことが可能である。また、リール及び刈刃が停止している状態で、プラットホームオーガ、及びフィーダハウスコンベアがそれぞれ正回転するので、投げ込み作業をより安全に行うことが可能である。
【０００８】
請求項２に記載のコンバインによれば、作業者が投げ込み作業操作具をコンベアの外部で操作できるので、操縦部まで移動する必要がなく、投げ込み作業を円滑に行うことが可能である。
【図面の簡単な説明】
【０００９】
【図１】コンバインの左側面図。
【図２】コンバインの上面図。
【図３】脱穀部及び選別部を示す図。
【図４】電動モータ及びその周辺機器の構成を示す図。
【図５】コンバインの制御構成を示したブロック図。
【発明を実施するための形態】
【００１０】
以下では、普通型コンバイン１について説明する。
【００１１】
図１及び図２に示すように、コンバイン１は、走行部１０と、刈取部２０と、脱穀部３０と、選別部４０と、穀粒貯溜部５０と、排藁処理部６０と、操縦部７０と、エンジン８０と、発電機８１と、を備える。
【００１２】
走行部１０は、機体２の下部に設けられる。走行部１０は、左右一対のクローラを有するクローラ式走行装置１１を有しており、このクローラ式走行装置１１により機体２を前進又は後進方向に走行させることができるように構成される。
【００１３】
刈取部２０は、機体２の前方に設けられ、機体２に対して昇降可能に支持される。刈取部２０は、リール２１と、刈刃２２と、プラットホームオーガ（ＰＦオーガ）２３と、フィーダハウスコンベア（ＦＨコンベア）２４と、を有している。リール２１、刈刃２２、及びＰＦオーガ２３は刈取フレーム２５により支持されている。刈取フレーム２５と機体２の間にはフィーダハウス２６が設けられており、フィーダハウス２６内にはＦＨコンベア２４が設けられている。
フィーダハウス２６の側面には、投げ込み作業操作具７９が取り付けられている。投げ込み作業操作具７９についての詳細な説明は後述する。
また、刈取部２０には、リール２１、刈刃２２、ＰＦオーガ２３、及びＦＨコンベア２４を駆動させるための電動モータ９１ａ・９２ａ・９３ａ・９４ａが設けられている。
【００１４】
刈取部２０は、リール２１により穀稈を掻き込み、刈刃２２により掻込後の穀稈の株元を切断し、そして、刈り取った穀稈をＰＦオーガ２３により寄せ集めてからＦＨコンベア２４へ受け渡して、ＦＨコンベア２４により脱穀部３０へ搬送することができるように構成される。
【００１５】
脱穀部３０は、機体２の左側上部に設けられ、刈取部２０の後方に配置される。
図３に示すように、脱穀部３０は、扱胴３１と、コンケーブ３２と、を有している。脱穀部３０は、扱胴３１及びコンケーブ３２により刈取部２０から搬送されてくる穀稈を後方へ送りながら脱穀し、その脱穀物を漏下させることができるように構成される。
【００１６】
選別部４０は、機体２の左側下部に設けられ、脱穀部３０の下方に配置される。
図３に示すように、選別部４０は、揺動選別装置４１と、風選別装置４２と、穀粒搬送装置４３と、二番還元装置４４と、を有している。選別部４０は、揺動選別装置４１により脱穀部３０から落下する脱穀物を穀粒や藁屑などに揺動選別し、風選別装置４２により揺動選別後のものを更に穀粒と藁屑などとに風選別し、穀粒搬送装置４３により選別後の穀粒を穀粒貯溜部５０側へ搬送することができるように構成される。
【００１７】
揺動選別装置４１は、第一チャフシーブ４１ａと、第二チャフシーブ４１ｂと、篩分部材４１ｃと、を有している。揺動選別装置４１は、扱胴３１の下方に配置される。揺動選別装置４１には揺動機構４１ｄが設けられる。揺動機構４１ｄは、第一チャフシーブ４１ａ、第二チャフシーブ４１ｂ、及び篩分部材４１ｃを機体２に対して揺動させる。
【００１８】
第一チャフシーブ４１ａ及び第二チャフシーブ４１ｂは、左右方向に等間隔ごとに横架された複数のチャフフィンを有している。前記各チャフフィンは、その角度を変更可能に構成され、それぞれが若干前低後高に傾斜した状態で前後に並置される。篩分部材４１ｃは、櫛状部材で構成され、第一チャフシーブ４１ａの後端部に歯部を後方へ向けて設けられ、第二チャフシーブ４１ｂの前部の上方に位置するように配置される。
【００１９】
揺動選別装置４１は、第一チャフシーブ４１ａ、第二チャフシーブ４１ｂ、及び篩分部材４１ｃを揺動させることによって、脱穀部３０から落下する脱穀物から穀粒を粗選別し、その粗選別後のものを風選別装置４２へ漏下させることができるようになっている。このときの漏下量は、第一チャフシーブ４１ａ及び第二チャフシーブ４１ｂでそれぞれ複数のチャフフィンの角度が変更されることにより調節される。
【００２０】
風選別装置４２は、唐箕４２ａと、一番コンベア４２ｂと、二番コンベア４２ｃと、を有している。唐箕４２ａは、回転可能に支持され、機体２の左側の前端寄りに配置される。一番コンベア４２ｂ及び二番コンベア４２ｃは、それぞれ唐箕４２ａの後方に配置され、互いに前後に並置される。
風選別装置４２には、唐箕４２ａを回転駆動させるための唐箕用電動モータ９５ａが設けられている。
【００２１】
風選別装置４２は、唐箕４２ａを回転駆動させることによって、選別風を起して後方へ送り、当該選別風を揺動選別装置４１から落下する穀粒や藁屑に当てて、これらを比重選別する。そして、これらのうちの、比重の重いものが選別風の影響を受けずに一番コンベア４２ｂへ落下するのに対して、比重の軽いものが選別風により後方へ運ばれて、二番コンベア４２ｃへ落下し、更に軽い塵埃等が後方へ排出される。
【００２２】
風選別装置４２は、また、一番コンベア４２ｂを駆動させることによって、この一番コンベア４２ｂに落下してきたものを、一番物として右側へ送って穀粒搬送装置４３へ渡す。穀粒搬送装置４３は、この一番物を穀粒貯溜部５０側へ搬送する。
【００２３】
また、風選別装置４２は、二番コンベア４２ｃを駆動させることによって、この二番コンベア４２ｃに落下してきたものを二番物として右側へ送って二番還元装置４４の二番搬送装置４４ａへ渡す。
【００２４】
二番還元装置４４は、二番搬送装置４４ａと、二番処理装置４４ｂとを備える。二番搬送装置４４ａは、揺動選別装置４１及び風選別装置４２の右側方で前後方向に延設され、前高後低に傾斜した状態で配置される。二番処理装置４４ｂは、揺動選別装置４１の前端部の上方に位置するように配置され、二番搬送装置４４ａと接続される。
【００２５】
二番還元装置４４は、二番搬送装置４４ａで受けた二番物を二番処理装置４４ｂへ送り、二番処理装置４４ｂで二番物に対して、枝梗を除去するなどの処理を行ったあと、揺動選別装置４１に落下させて戻すことができるようになっている。こうして、揺動選別装置４１及び風選別装置４２を経た二番物が繰り返し選別される。
【００２６】
図１及び図２に示すように、穀粒貯溜部５０は、機体２の右側の前後中央部に設けられ、脱穀部３０及び選別部４０の右方に配置される。穀粒貯溜部５０は、穀粒タンク５１と、穀粒排出装置５２と、を有している。穀粒貯溜部５０は、選別部４０から搬送されてくる穀粒を穀粒タンク５１で貯溜し、穀粒排出装置５２により貯溜中の穀粒を任意の方向に搬送してから外部へ排出することができるように構成される。
【００２７】
排藁処理部６０は、機体２の左側後上方に設けられ、脱穀部３０及び選別部４０の後方に配置される。排藁処理部６０は、脱穀部３０からの脱穀済みの穀稈を排藁として外部へ排出するとともに、選別部４０からの藁屑や塵埃などを外部へ排出することができるように構成される。
【００２８】
操縦部７０は、機体２の右側前端から前方に出っ張るように設けられ、穀粒貯溜部５０の前方に配置される。操縦部７０には、リール２１を操作するためのリール用操作具７１や、刈刃２２を操作するための刈刃用操作具７２や、ＰＦオーガ２３を操作するためのオーガ用操作具７３や、ＦＨコンベア２４を操作するためのコンベア用操作具７４や、唐箕４２ａを操作するための唐箕用操作具７５が設けられている（図５参照）。また、操縦部７０には、ステアリングハンドル７６及び変速レバーを含む各種の操作具や、操縦席や、キャビン７７が設けられている。
【００２９】
図２に示すように、エンジン８０は、機体２の右側前端に設けられ、操縦部７０の下方に配置される。エンジン８０の左方には発電機８１が設けられている。発電機８１はエンジン８０に接続されており、エンジン８０の回転を伝達されて駆動する。
機体２の右側後端には、バッテリ８２が設けられている。バッテリ８２は、発電機８１と電気的に接続されており、発電機８１で発電した電力を蓄えることが可能である。
【００３０】
以下では、コンバイン１の動力伝達について説明する。
コンバイン１は、エンジン８０の動力を、走行部１０、脱穀部３０、選別部４０（唐箕４２ａを除く）、穀粒貯溜部５０、及び排藁処理部６０に、トランスミッションを含む動力伝達系を介して伝達して、エンジン８０の動力によりこれらの各部を駆動させる。
また、コンバイン１は、刈取部２０の各部（リール２１、刈刃２２、ＰＦオーガ２３、及びＦＨコンベア２４）、並びに選別部４０の唐箕４２ａに関しては、電動モータ（三相交流モータ）９１ａ・９２ａ・９３ａ・９４ａ・９５ａの動力により駆動させる（図５参照）。
【００３１】
次に、電動モータ９１ａ・９２ａ・９３ａ・９４ａ・９５ａ及びその周辺機器の構成について説明する。
【００３２】
図４に示すように、通常走行時（エンジン８０の回転時）においては、発電機８１はエンジン８０により駆動して交流電力を発生する。そして、この交流電力がインバータ８３により直流電力に変換される。そして、前記直流電力はインバータ１９２・１９３・１９４によりそれぞれ交流電力に変換されて、電動モータ９２ａ・９３ａ・９４ａにそれぞれ供給される。また、前記直流電力はＤＣ−ＤＣコンバータ８４により電圧が調整された後、インバータ１９１・１９５によりそれぞれ交流電力に変換されて、電動モータ９１ａ・９５ａにそれぞれ供給される。従って、消費電力が発電電力より少ない場合、リール２１、刈刃２２、ＰＦオーガ２３、ＦＨコンベア２４及び唐箕４２ａが、発電機８１からの電力で駆動され、余剰電力がバッテリ８２に蓄えられる。また、消費電力が発電電力より多い場合、バッテリ８２からも電力供給される。
【００３３】
エンジン８０の停止時においては、バッテリ８２に蓄えられている電力が、インバータ１９１・１９２・１９３・１９４・１９５を介して電動モータ９１ａ・９２ａ・９３ａ・９４ａ・９５ａにそれぞれ供給される。従って、エンジン８０の停止時には、リール２１、刈刃２２、ＰＦオーガ２３、ＦＨコンベア２４及び唐箕４２ａが、バッテリ８２からの電力で駆動する。
【００３４】
図５に示すように、制御装置１００には、操作具７１・７２・７３・７４・７５・７９、及びインバータ１９１・１９２・１９３・１９４・１９５が接続されている。
制御装置１００は、操作具７１・７２・７３・７４・７５・７９から信号を受信することによって、インバータ１９１・１９２・１９３・１９４・１９５を制御して、電動モータ９１ａ・９２ａ・９３ａ・９４ａ・９５ａの回転を操作する。これにより、制御装置１００は、リール２１、刈刃２２、ＰＦオーガ２３、ＦＨコンベア２４及び唐箕４２ａの動作を制御する。
【００３５】
従来、エンジンの動力は、複数個の伝動ベルト及びプーリを介して、刈取部の各部や唐箕に伝達されるように構成されていた。
これに対して、本実施形態におけるコンバイン１は、刈取部２０の各部（リール２１、刈刃２２、ＰＦオーガ２３、及びＦＨコンベア２４）や、選別部４０の唐箕４２ａに電動モータ９１ａ・９２ａ・９３ａ・９４ａ・９５ａをそれぞれ接続して、各電動モータ９１ａ・９２ａ・９３ａ・９４ａ・９５ａの動力で刈取部２０の各部や唐箕４２ａを個別に駆動するように構成する。これにより、従来使用していた伝動ベルトや伝動プーリ等の、エンジンに接続するための部品を削除することができると共に、刈取部２０や唐箕４２ａへの動力伝達系を簡単化することができる。また、刈取部２０の各部（リール２１、刈刃２２、ＰＦオーガ２３、及びＦＨコンベア２４）や、選別部４０の唐箕４２ａに関しては、動力伝達系が、エンジン８０との動力伝達系と別系統となっているので、エンジン８０とは無関係に、電動モータ９１ａ・９２ａ・９３ａ・９４ａ・９５ａの出力軸をそれぞれ回転させて、メンテナンスや調整等を容易に行うことができる。
【００３６】
また、コンバイン１は、作業状況に応じて回転速度を調整した方が良い部位（刈取部２０の各部や唐箕４２ａ）については、それぞれに動力源（電動モータ９１ａ・９２ａ・９３ａ・９４ａ・９５ａ）を設けることで、それぞれの回転速度を調整可能に構成する。そして、一定回転速度が必要な部位（脱穀部３０や発電機８１）については、エンジン８０を動力源とする。このように、コンバイン１は、各部の特性を考慮して、動力源を複数種類設けることで、作業性を向上させている。
【００３７】
図２に示すように、コンバイン１は、刈取部２０に電動モータ９１ａ・９２ａ・９３ａ・９４ａを設けて、機体２の後端（穀粒貯溜部５０の後方）にバッテリ８２を設ける。これは、刈取部２０に電動モータ９１ａ・９２ａ・９３ａ・９４ａを設けることによってコンバイン１の重心が前側に偏るが、機体２の後端にバッテリ８２を設けることによって、コンバイン１の前後の重量バランスを整えて、重心の偏りを抑制するためである。これにより、コンバイン１の姿勢を安定させることが可能となる。
【００３８】
以下では、投げ込み作業操作具７９について説明する。
【００３９】
投げ込み作業操作具７９は、投げ込み作業を行うための操作具である。図１に示すように、投げ込み作業操作具７９は、フィーダハウス２６の側面に取り付けられている。投げ込み作業操作具７９は、単一の操作具であり、例えば、スイッチやレバーで構成されている。
【００４０】
図５に示すように、投げ込み作業操作具７９は制御装置１００に接続されている。投げ込み作業操作具７９が操作されることによって制御装置１００に信号が送信される。
制御装置１００は、投げ込み作業操作具７９から信号を受信することによって、リール２１及び刈刃２２をそれぞれ停止させた状態で、ＰＦオーガ２３及びＦＨコンベア２４をそれぞれ正回転させる。
【００４１】
ＰＦオーガ２３（ＦＨコンベア２４）を正回転させるとは、ＰＦオーガ２３（ＦＨコンベア２４）を、刈り取り作業時の回転方向と同じ方向に回転させることである。
【００４２】
作業者は、投げ込み作業を行うときには、エンジン８０を駆動させて、脱穀部３０と選別部４０と穀粒貯溜部５０と排藁処理部６０を作動させている状態で、投げ込み作業操作具７９を操作する。これにより、リール２１及び刈刃２２がそれぞれ停止している状態で、ＰＦオーガ２３及びＦＨコンベア２４がそれぞれ正回転する。そして、作業者が刈取フレーム２１内に作物を投げ入れることで、作物は脱穀及び選別され、そして、選別後の穀粒が穀粒タンク５１に貯溜され、排稈が機外に放出される。
【００４３】
以上のように構成することで、作業者が投げ込み作業操作具７９を操作すれば、刈取部２０の各部（リール２１、刈刃２２、ＰＦオーガ２３及びＦＨコンベア２４）が上記した所定の動きをして、投げ込み作業を行える状態になり、作業者が投げ込み作業を開始できる。従って、作業者が投げ込み作業を円滑に行うことが可能である。
また、投げ込み作業操作具７９による投げ込み作業時には、リール２１及び刈刃２２が停止しているので、投げ込み作業をより安全に行うことが可能である。また、リール２１及び刈刃２２が停止しているので、作業者が作物を投げ入れるときに、作物がリール２１に巻きついたり、巻き込まれたりすることがなく、さらに、刈刃２２により切断されたりすることもない。これにより、作物（穀粒）を傷めることを防げる。
また、投げ込み作業操作具７９がフィーダハウス２６の側面に配置されており、作業者が投げ込み作業操作具７９をコンベア１の外部で操作できるので、操縦部７０まで移動する必要がなく、投げ込み作業を円滑に行うことが可能である。
【００４４】
なお、投げ込み作業操作具７９が取り付けられる位置は、フィーダハウス２６の側面に限定されず、機体２側面であってもよい。なお、投げ込み作業操作具７９を機体２側面に配置する場合には、機体２の前端寄り（刈取部２０の近傍）に配置するほうが好ましい。これにより、投げ込み作業操作具７９を、投げ込み作業位置に近づけて配置できるので、作業者が円滑に投げ込み作業を行える。
【符号の説明】
【００４５】
１      コンバイン
２１    リール
２２    刈刃
２３    ＰＦオーガ
２４    ＦＨコンベア
７９    投げ込み作業操作具
９１ａ・９２ａ・９３ａ・９４ａ  電動モータ
１００  制御装置
【図１】
2014183801.tif 000003
【図２】
2014183801.tif 000004
【図３】
2014183801.tif 000005
【図４】
2014183801.tif 000006
【図５】
2014183801.tif 000007